(57)【要約】【課題】化粧材の熱伸縮による影響を受けることなく有効に取り付けることができる化粧材の取付構造を提供する。【解決手段】取付金具２を介して壁面３に長尺の化粧材１を取り付けてなる化粧材１の取付構造であって、取付金具２は、壁面３に固定する固定面２１から水平方向に突出して先端部が上方に屈曲した係止片２０が延設されてなり、化粧材１は、裏面に、上記取付金具２の係止片２０と係止する係止爪１０が設けられ両端部が受け差し接続可能となされ、少なくとも受け差し接続した化粧材１の両端部分に取付金具２が位置するように壁面３に取付金具２を固定した状態で、化粧材１の係止爪１０を取付金具２の係止片２０に引っ掛けるようにして載せ掛け、化粧材１の受け差し接続の受け部１ｂ側の端部のみで化粧材１と取付金具２とをビス４固定する化粧材１の取付構造。【選択図】  図１
2004197427.tif 000002
【特許請求の範囲】
【請求項１】
取付金具を介して壁面に長尺の化粧材を取り付けてなる化粧材の取付構造であって、
取付金具は、壁面に固定する固定面から水平方向に突出して先端部が上方に屈曲した係止片が延設されてなり、
化粧材は、裏面に、上記取付金具の係止片と係止する係止爪が設けられるとともに、両端部が受け差し接続可能となされ、
少なくとも受け差し接続した化粧材の両端部分に取付金具が位置するように壁面に取付金具を固定した状態で、化粧材の係止爪を取付金具の係止片に引っ掛けるようにして載せ掛け、化粧材の受け差し接続の受け部側の端部のみで化粧材と取付金具とをビス固定することを特徴とする化粧材の取付構造。
【請求項２】
取付金具を介して壁面に長尺の化粧材を取り付けてなる化粧材の取付構造であって、
取付金具は、壁面に固定する固定面から水平方向に突出して先端部が上方に屈曲した係止片が延設されてなり、
化粧材は、裏面に、上記取付金具の係止片と係止する係止爪が設けられてなり、
化粧材の少なくとも両端部に取付金具が位置するように壁面に取付金具を固定した状態で、化粧材の係止爪を取付金具の係止片に引っ掛けるようにして載せ掛けた後、化粧材にビスを螺合し、このビスで取付金具の係止片が化粧材の係止爪に係合する方向に取付金具を付勢することを特徴とする化粧材の取付構造。
【発明の詳細な説明】
【０００１】
【発明の属する技術分野】
本発明は、住宅建物の外装に取り付けられる化粧材の取付構造に関するものである。
【０００２】
【従来の技術】
一般に、住宅の外壁において、バルコニー手摺り下、窓枠下、一階と二階との見切り部分などに長尺の化粧材を取り付けて外観の意匠性の向上を図ることが行われている。
【０００３】
従来より、このような化粧材を取り付けるような場合、外壁の表面に取付金具を固定し、この取付金具に化粧材を嵌合させたり、各取付金具毎に化粧材をビス固定して取り付けられていた（例えば、特許文献１参照）。
【０００４】
【特許文献１】
特開２０００−３４５６９５号公報
【０００５】
【発明が解決しようとする課題】
しかし、上記従来のように、取付金具で嵌合しただけの場合、化粧材の固定強度が不安定になるといった不都合を生じることとなる。
【０００６】
一方、ビス固定して取り付けた場合、化粧材が取付金具の位置で完全に固定されてしまうので、化粧材が熱伸縮性のある素材だと熱伸縮の影響で化粧材が撓んでしまうといったことが懸念される。また、場合によっては、熱伸縮の影響で取付金具と化粧材とのビス固定部分が歪み、この固定部分が破壊されてしまうといったことが懸念される。
【０００７】
また、ビス固定の場合、ビス固定部分が上記したような熱伸縮などの影響で破壊されてしまうと、化粧材が落下してしまうといったことが懸念される。
【０００８】
本発明は、係る実情に鑑みてなされたものであって、化粧材の熱伸縮による影響を受けることなく有効に取り付けることができる化粧材の取付構造を提供することを目的としている。
【０００９】
【課題を解決するための手段】
上記課題を解決するための本発明の化粧材の取付構造は、取付金具を介して壁面に長尺の化粧材を取り付けてなる化粧材の取付構造であって、取付金具は、壁面に固定する固定面から水平方向に突出して先端部が上方に屈曲した係止片が延設されてなり、化粧材は、裏面に、上記取付金具の係止片と係止する係止爪が設けられるとともに、両端部が受け差し接続可能となされ、少なくとも受け差し接続した化粧材の両端部分に取付金具が位置するように壁面に取付金具を固定した状態で、化粧材の係止爪を取付金具の係止片に引っ掛けるようにして載せ掛け、化粧材の受け差し接続の受け部側の端部のみで化粧材と取付金具とをビス固定するものである。
【００１０】
この構成によると、化粧材は、受け差し接続の受け部側の端部のみで化粧材と取付金具とをビス固定しているだけなので、化粧材自体の熱伸縮が妨げられることはなく、熱伸縮による化粧材の撓みや、化粧材と取付金具とのビス固定部分の歪みや破壊を防止することができる。また、化粧材の受け部側の端部のみをビスによって一個所固定しただけではあるが、取付金具の係止片に化粧材の係止爪を引っ掛けるようにして載せ掛けており、しかも化粧材の差し部側の端部は、取付金具と受け部側の化粧材との間に挟み込まれた状態となるので、この化粧材の差し部側の端部が取付金具から脱落することを防止できる。万が一ビス固定が外れたとしても、取付金具の係止片に化粧材の係止爪を引っ掛けるようにして載せ掛けているので、化粧材がそのまま落下することは防止できる。
【００１１】
また、上記課題を解決するための本発明の化粧材の取付構造は、取付金具を介して壁面に長尺の化粧材を取り付けてなる化粧材の取付構造であって、取付金具は、壁面に固定する固定面から水平方向に突出して先端部が上方に屈曲した係止片が延設されてなり、化粧材は、裏面に、上記取付金具の係止片と係止する係止爪が設けられてなり、化粧材の少なくとも両端部に取付金具が位置するように壁面に取付金具を固定した状態で、化粧材の係止爪を取付金具の係止片に引っ掛けるようにして載せ掛けた後、化粧材にビスを螺合し、このビスで取付金具の係止片が化粧材の係止爪に係合する方向に取付金具を付勢するものである。
【００１２】
この構成によると、化粧材の係止爪を取付金具の係止片に引っ掛けるようにして載せ掛けて互いに係合させた状態を、化粧材に螺合したビスで取付金具を付勢することによって維持することができる。したがって、化粧材と取付金具とは直接固定していないが、安定した化粧材の取付状態を維持することができる。また、化粧材を取付金具に直接固定していないので、化粧材の熱伸縮が妨げられることはなく、熱伸縮による化粧材の撓みや、化粧材と取付金具とのビス固定部分の歪みや破壊を防止することができる。
【００１３】
【発明の実施の形態】
以下、本発明の実施の形態を図面を参照して説明する。
【００１４】
図１および図２は化粧材１の取付構造の全体構成の概略を示し、図３および図４は同取付構造に使用される化粧材１および取付金具２の概略を示し、図５は化粧材１と取付金具２との取付構造の要部を示している。
【００１５】
すなわち、この化粧材１の取付構造は、取付金具２を壁面３に固定した状態で、化粧材１の係止爪１０を取付金具２の係止片２０に引っ掛けるようにして載せ掛け、化粧材１の受け差し接続の受け部側の端部のみで化粧材１と取付金具２とをドリルビス４で固定するものである。
【００１６】
化粧材１は、アルミニウムの押出材からなり、断面略溝型で長尺に形成されている。化粧材１の一側部は長手方向全体にわたって段部１１が形成されている。この段部１１が形成された一側部が化粧材１の下辺となされ、他側部が化粧材１の上辺となされる。化粧材１の裏面は、幅方向に適宜に間隔を存した二カ所に、長手方向全体に渡って係止爪１０が形成されている。この係止爪１０は、その基端部が化粧材１の裏面に対して直交する方向に若干突出し、先端部が裏面に並行する方向に折り曲げられた断面略Ｌ字状となされており、化粧材１の裏面の下辺側に開口するようになされている。この化粧材１は、一端部から約１５ｍｍの幅で突出するように、内側にジョイナー１２が溶接固定されており、このジョイナー１２の固定された差し部１ａを、他の化粧材１の他端部の受け部１ｂと受け差し接続することで、化粧材１同士を接続することができるように構成されている。
【００１７】
取付金具２は、アルミニウムの押出材によって構成されており、壁面３に当接する面状の固定面２１から二つの係止片２０と一つの固定片２２とが延設されている。係止片２０は、固定面２１から水平方向に突出して先端部が上方に屈曲するようになされており、屈曲した先端部が、化粧材１の裏面と係止爪１０との間隙に差し込むことができるようになされている。固定片２２は、上記係止片２０が化粧材１の裏面と係止爪１０との間隙に差し込まれた状態で、化粧材１の上辺の裏側に当接されるようになされている。これら係止片２０と固定片２２とは、その中央部が切り欠かれて溝部２０ａ、２２ａが形成されており、受け差し接続した化粧材１のジョイナー１２の部分が、取付金具２と緩衝することなく、この溝部２０ａ、２２ａに納まるようになされている。
【００１８】
この取付金具２は、化粧材１を施工しようとする壁面３に、固定面２１を当接した状態で固定面２１を壁面３にビス２３で固定することによって固定される。この際、取付金具２は、壁面３に施工しようとする化粧材１の受け差し接続部分のジョイナー１２が、溝部２０ａ、２２ａに位置するように位置決めされる。
【００１９】
この壁面３に固定した取付金具２に対して、化粧材１は、差し部１ａと受け部１ｂとを受け差し接続しながら、係止爪１０を取付金具２の係止片２０に引っ掛けるようにして載せ掛けて取り付けられる。そして、受け部１ｂ側の化粧材１の端部の上辺部分からドリルビス４を固定して化粧材１の上辺部分を取付金具２の固定片２２に固定する。ジョイナー１２が固定されている差し部１ａ側の化粧材１の端部はそのままの状態で施工完了とする。
【００２０】
このようにして取り付けた化粧材１は、化粧材１の受け部１ｂのみを取付金具２の固定片２２にドリルビス４で固定しているので、化粧材１自体が熱伸縮するような場合であっても、差し部１ａ側は何も固定していないので、化粧材１は自由に熱伸縮することができる。したがって、化粧材１が撓んだり、ドリルビス４の固定部分が歪んだりするのを防止して固定状態を維持することができる。
【００２１】
また、係止爪１０を取付金具２の係止片２０に引っ掛けるようにして載せ掛けて化粧材１の裏面と係止爪１０との間隙に係止片２０を差し込むようにしており、しかも化粧材１の差し部１ａ側の端部は、取付金具２と受け部１ｂ側の化粧材１との間に挟み込まれた状態となるので、この差し部１ａ側の化粧材１の端部が取付金具２から落下するといった恐れが無い。
【００２２】
さらに、係止爪１０を取付金具２の係止片２０に引っ掛けるようにして載せ掛けて化粧材１の裏面と係止爪１０との間隙に係止片２０を差し込むようにしているので、ドリルビス４の固定が外れてしまった場合でも、すぐに化粧材１が落下してしまうといったことにはならない。
【００２３】
なお、本実施の形態では、化粧材１の上辺部分から１個所だけドリルビス４を固定するようになされているが、二個所以上の固定を必要とする場合は、図５（ｂ）に示すように、化粧材１の係止爪１０を取付金具２の係止片２０に引っ掛けるようにして載せ掛けて取り付けた後、化粧材１の下辺の段部１１の部分から先端部が丸くなったビス４１をねじ込んで取付金具２の係止片２０が、化粧材１の裏面と係止爪１０との間隙に差し込まれる方向に付勢する。これにより、化粧材１の裏面と係止爪１０との間隙に差し込まれた取付金具２の係止片２０は、外れる恐れが無いので、化粧材１の上辺部分からドリルビス４を固定した場合と同等に固定力が得られることとなる。しかも、このビス４１は、取付金具２係止片２０に対して固定しておらず、単に付勢しているだけなので、化粧材１が熱伸縮するような場合であっても化粧材１の自由な熱伸縮を妨げない。したがって、この場合も化粧材１が撓んだり、ドリルビス４の固定部分が歪んだりするのを防止して固定状態を維持することができる。この図５（ｂ）に示すような取付構造は、図６に示すように、開口部５の下の化粧胴差しや、キャンティバルコニー６の下の笠木６０の化粧胴差しとして化粧材１を使用する場合のように、上辺部分からドリルビス４を固定することができない時にも利用することができる。
【００２４】
また、本実施の形態において、化粧材１は、アルミニウムの押出材となされているが、鋼製、樹脂製、その他の熱伸縮性のある化粧材１であってもよい。
【００２５】
さらに、本実施の形態において、取付金具２は、隣接する化粧材１の受け差し接続部間に取り付けて一つの取付金具２で隣接する二つの化粧材１を取り付けるようになされているが、一つの取付金具２に一つの化粧材１の端部を取り付けるようになされたものであってもよい。また、化粧材１は、両端部のみが取付金具２によって取り付けられているが、両端部以外に中間部にも取付金具２が設けられていてもよい。ただし、何れの場合も、化粧材１は、受け差し接続した受け部１ｂのみを取付金具２にドリルビス４で固定するか、二個所以上の固定が必要な場合は、図５（ｂ）に示すような取付構造でなければならない。
【００２６】
さらに、本実施の形態において、化粧材１と取付金具２との固定には、ドリルビス４を用いているが、あらかじめ化粧材１の上辺部分と取付金具２の固定片２２とにネジ孔（図示省略）螺刻されているような場合には、これらネジ孔に螺合する通常のネジ（図示省略）を用いてもよい。
【００２７】
【発明の効果】
以上述べたように、本発明によると、化粧材が熱伸縮しても、化粧材が撓んだり、ビス固定部分が歪んだりするのを防止して固定状態を維持することができる。
【００２８】
また、化粧材の係止爪を取付金具の係止片に引っ掛けるようにして載せ掛けているので、万が一、ビス固定部分が外れたりしても化粧材自体は取付金具の係止片に引っかかるので、落下するのを防止することができる。
【図面の簡単な説明】
【図１】（ａ）および（ｂ）は本発明に係る化粧材の取付構造の施工状態を示す分解斜視図である。
【図２】図１における化粧材の受け差し接続部と取付金具との取付部分を示す部分拡大図である。
【図３】（ａ）は本発明に用いられる化粧材の断面図、（ｂ）は同化粧材の差し部を示す部分正面図である。
【図４】（ａ）は本発明に用いられる取付金具の全体構成の概略を示す斜視図、（ｂ）は同取付金具の側面図である。
【図５】（ａ）は化粧材の取付構造を説明する側断面図、（ｂ）は化粧材の他の取付構造を説明する側断面図である。
【図６】（ａ）および（ｂ）は化粧材の取付構造の他の実施の形態を示す側断面図である。
【符号の説明】
１  化粧材
１ａ  差し部
１ｂ  受け部
１０  係止爪
２  取付金具
２０  係止片
３  壁面
４  ビス
【図１】
2004197427.tif 000003
【図２】
2004197427.tif 000004
【図３】
2004197427.tif 000005
【図４】
2004197427.tif 000006
【図５】
2004197427.tif 000007
【図６】
2004197427.tif 000008